(57)【要約】      （修正有）【課題】接着剤等の塗布材を塗布するために用いられる塗布具において、その開封状態を容易に判別することができる塗布具を提供する。【解決手段】塗布具１０は、液体の塗布材の吐出口１２を設けたハウジング１４と、ハウジング１４内に配置され、前記塗布材を貯蔵する貯蔵容器１６と、吐出口１２までの吐出チューブ１８に連通し、貯蔵容器１６に刺し通すことで該貯蔵容器１６内の塗布材を吐出チューブ１８へと流出させる針体２０と、ハウジング１４外に露出した操作部２２ａ、及び、貯蔵容器１６を押圧して塗布材を流出させる押出部２２ｃを有する操作レバー２２と、ハウジング１４外から操作されることにより、針体２０を貯蔵容器１６に刺し通して当該塗布具１０を開封状態にし、同時に押出部２２ｃを貯蔵容器１６を押圧可能な状態に設定するロック解除部材２６とを備える。【選択図】図２
0003156036.tif 000002
【実用新案登録請求の範囲】
【請求項１】
液体の塗布材の吐出口を設けたハウジングと、
前記ハウジング内に配置され、前記塗布材を貯蔵する貯蔵容器と、
前記吐出口までの吐出経路に連通し、前記貯蔵容器に刺通することで該貯蔵容器内の前記塗布材を前記吐出経路へと流出させる針体と、
前記ハウジング外に露出した操作部、及び、前記貯蔵容器を押圧して前記塗布材を流出させる押出部を有する操作レバーと、
前記ハウジング外から操作されることにより、前記針体を前記貯蔵容器に刺通させて当該塗布具を開封状態にし、同時に前記押出部で前記貯蔵容器を押圧可能な状態に設定するロック解除部材と、
を備えることを特徴とする塗布具。
【請求項２】
請求項１記載の塗布具において、
前記ロック解除部材は、一端側が前記ハウジング外に突出し、他端側近傍に前記貯蔵容器が固定された棒体であることを特徴とする塗布具。
【請求項３】
請求項２記載の塗布具において、
前記操作レバーは、一端側に前記操作部が設けられ、他端側に前記押出部が設けられ、前記操作部及び前記押出部の間を連結するシャフト部が前記ハウジングの内壁面に対して軸支されていることを特徴とする塗布具。
【請求項４】
請求項２又は３記載の塗布具において、
前記ロック解除部材は、前記貯蔵容器に前記針体が刺通される前の未開封状態で、前記押出部が係合するロック凹部を有し、
前記押出部は、前記開封状態とするために前記ロック解除部材が前記ハウジング内へと押し込まれるのに伴って前記ロック凹部から外れ、前記貯蔵容器の外周面に対応した位置に設定されることを特徴とする塗布具。
【請求項５】
請求項２〜４のいずれか１項に記載の塗布具において、
前記ロック解除部材は、前記貯蔵容器に前記針体が刺通される前の未開封状態では前記ハウジング外に突出しており、前記開封状態では前記ハウジング内に埋没していることを特徴とする塗布具。
【請求項６】
請求項１〜５のいずれか１項に記載の塗布具において、
前記開封状態では、前記貯蔵容器に前記針体が刺通される前の未開封状態に比べて前記操作部の位置が上方に押し上げられた位置になることを特徴とする塗布具。
【考案の詳細な説明】
【技術分野】
【０００１】
本考案は、接着剤等の塗布材を塗布するために用いられる塗布具に関する。
【背景技術】
【０００２】
例えば、外科手術において人工血管と生体の血管とを接合するために、シアノアクリレートやイソシアネート等の生体親和性が高い接着剤（瞬間接着剤）を用いることがあり、他の体組織の接合処置でも同様である。
【０００３】
このような接着剤を塗布するための塗布具として、特許文献１には、接着剤を貯留したカプセルを使用直前に押圧・破壊し、破壊されたカプセルから流出した接着剤をロッド状の吐出口から吐出して、体組織の所望の位置に塗布する構成の外科接着剤塗布具（接着剤アプリケータ）が開示されている。
【先行技術文献】
【特許文献】
【０００４】
【特許文献１】特開２００８−１３２３１４号公報
【考案の概要】
【考案が解決しようとする課題】
【０００５】
上記特許文献１に記載の構成では、外圧によりカプセルを破壊すると、該カプセルを収納したハウジング状の球形部内に接着剤が流出し、これにより、塗布作業を実行可能な開封状態となる。ところが、前記ハウジング状の球形部内の状況、つまりカプセルの破壊の有無を外部から把握することができず、このため当該塗布具が開封状態か否かを迅速に判別することが困難となっている。
【０００６】
従って、カプセルが破壊されていない未開封状態のまま術者が塗布を試みた場合には、接着剤の塗布を迅速に行うことができず、手術時間や患者負担が増加する可能性がある。また、未開封状態であると認識していたにも係わらずカプセルが破壊されてしまっている場合等では、開封作業を行おうとした瞬間に又は偶発的に接着剤が吐出されてしまう可能性もある。さらに、当該塗布具では、未使用品と使用済み品との判別が困難であることから、未使用品の管理や使用済み品の廃棄等に要する手間が煩雑となる可能性もある。
【０００７】
本考案はこのような従来の課題を考慮してなされたものであり、接着剤等の塗布材を塗布するために用いられる塗布具において、その開封状態を容易に判別することができる塗布具を提供することを目的とする。
【課題を解決するための手段】
【０００８】
本考案に係る塗布具は、液体の塗布材の吐出口を設けたハウジングと、前記ハウジング内に配置され、前記塗布材を貯蔵する貯蔵容器と、前記吐出口までの吐出経路に連通し、前記貯蔵容器に刺通することで該貯蔵容器内の前記塗布材を前記吐出経路へと流出させる針体と、前記ハウジング外に露出した操作部、及び、前記貯蔵容器を押圧して前記塗布材を流出させる押出部を有する操作レバーと、前記ハウジング外から操作されることにより、前記針体を前記貯蔵容器に刺通させて当該塗布具を開封状態にし、同時に前記押出部で前記貯蔵容器を押圧可能な状態に設定するロック解除部材とを備えることを特徴とする。
【０００９】
このような構成によれば、ハウジング外から操作されることにより、針体を貯蔵容器に刺通させ、同時に操作レバーの押出部で貯蔵容器を押圧可能な状態に設定するロック解除部材を備えたことにより、該ロック解除部材が操作されているか否かを外部から視認するだけで、当該塗布具の未開封状態と開封状態とを容易に判別することができる。従って、誤操作等の偶発的な操作が防止されると共に、未使用品の保管・管理や使用済み品の廃棄等に要する手間を軽減することができる。
【００１０】
前記ロック解除部材は、一端側が前記ハウジング外に突出し、他端側近傍に前記貯蔵容器が固定された棒体であると、該ロック解除部材の操作が容易になると共に、該ロック解除部材の操作に伴い貯蔵容器も移動することから、針体を容易に貯蔵容器へと刺通させることができる。
【００１１】
前記操作レバーは、一端側に前記操作部が設けられ、他端側に前記押出部が設けられ、前記操作部及び前記押出部の間を連結するシャフト部が前記ハウジングの内壁面に対して軸支されていると、例えば、操作部を押し下げ操作することで押出部が上昇するため、該押出部で貯蔵容器を容易に押圧することができる。
【００１２】
前記ロック解除部材は、前記貯蔵容器に前記針体が刺通される前の未開封状態で、前記押出部が係合するロック凹部を有し、前記押出部は、前記開封状態とするために前記ロック解除部材が前記ハウジング内へと押し込まれるのに伴って前記ロック凹部から外れ、前記貯蔵容器の外周面に対応した位置に設定されてもよい。そうすると、未開封状態での操作レバーとロック解除部材の誤操作が有効に回避されるため、当該塗布具の偶発的な操作をより確実に防止することができる。
【００１３】
前記ロック解除部材は、前記貯蔵容器に前記針体が刺通される前の未開封状態では前記ハウジング外に突出しており、前記開封状態では前記ハウジング内に埋没するように構成すると、開封状態と未開封状態との判別が一層容易となり、しかも開封状態でロック解除部材が塗布作業の邪魔になることもない。
【００１４】
前記開封状態では、前記貯蔵容器に前記針体が刺通される前の未開封状態に比べて前記操作部の位置が上方に押し上げられた位置になるように構成されると、操作性が向上すると共に、未使用品と使用済み品との判別も一層容易となる。
【考案の効果】
【００１５】
本考案によれば、ハウジング外から操作されることにより、針体を貯蔵容器に刺通させ、同時に操作レバーの押出部を貯蔵容器を押圧可能な状態に設定するロック解除部材を備えたことにより、該ロック解除部材が操作されているか否かを外部から視認するだけで、当該塗布具の未開封状態と開封状態とを容易に判別することができる。従って、誤操作等の偶発的な操作が防止されると共に、未使用品の保管・管理や使用済み品の廃棄等に要する手間を軽減することができる。
【図面の簡単な説明】
【００１６】
【図１】本考案の一実施形態に係る塗布具の未開封状態での斜視図である。
【図２】図１に示す塗布具の未開封状態での側面断面図である。
【図３】ハウジング内に収容される各部品の分解斜視図である。
【図４】図２に示す状態からロック解除部材を操作して当該塗布具を開封した状態での側面断面図である。
【考案を実施するための形態】
【００１７】
以下、本考案に係る塗布具について、好適な実施の形態を挙げ、添付の図面を参照しながら説明する。
【００１８】
図１は、本考案の一実施形態に係る塗布具１０の斜視図であり、後述する未開封状態での状態を示している。図２は、図１に示す塗布具１０の未開封状態での側面断面図である。本実施形態に係る塗布具１０は、例えば、大動脈置換術において人工血管と生体血管とを縫い合わせた後、その縫い合わせ部位に所定の接着剤（塗布材）を塗布するために用いられる外科接着剤塗布具（外科接着剤アプリケータ）であり、通常、１回の開封・使用で使い捨てされる。前記接着剤としては、例えば、シアノアクリレートやイソシアネート等の生体親和性が高く、粘性の低い液体状のものが用いられる。なお、塗布具１０は、このような医療用の接着剤の塗布具としての用途以外、例えば工業用等の他の種類の接着剤や塗料等の塗布具として用いることもできる。
【００１９】
図１及び図２に示すように、塗布具１０は、先端に接着剤（塗布材）の吐出口１２を有するハウジング１４と、ハウジング１４内に配置されて前記接着剤を貯蔵する貯蔵容器（カートリッジ）１６と、貯蔵容器１６内の接着剤を吐出口１２へと流通させるための吐出チューブ（吐出経路）１８と、吐出チューブ１８の上流側に連通する針体２０と、接着剤を吐出する際に術者等が操作する操作レバー２２と、ハウジング１４の後端側の孔部２４に挿通されたロック解除部材２６とを備える。塗布具１０は、必要に応じて、吐出口１２に針金芯により自由に形状を構成可能な先端チューブ（図示せず）を接続して使用される。
【００２０】
なお、理解を容易にするために、各図において、Ｘ１方向を前方（先端）と呼び、その反対方向であるＸ２方向を後方（後端）と呼び、Ｘ１及びＸ２方向と直交するＹ１方向を上方と呼び、その反対方向であるＹ２方向を下方と呼ぶ。
【００２１】
ハウジング１４は、例えば、樹脂等で構成されており、湾曲した上面を有する幅広部１４ａと、幅広部１４ａよりも前方（吐出口１２側）に位置する幅狭部１４ｂとを有している。このようなハウジング１４は、術者等が片手で安定して把持（グリップ）することができる程度の大きさで前後方向に延びており、前記幅広部１４ａに手の平を当てて、幅狭部１４ｂの周囲に人差し指や中指をかけることで、高い操作安定性を得ることができる。さらに、図１に示すように、幅狭部１４ｂの外周面（幅狭部１４ｂの下面及び両側面）には、滑り止め溝２８が形成されており、これにより操作中の滑りが防止され、一層安定して塗布具１０を把持することが可能となっている。
【００２２】
図３は、ハウジング１４内に収容される各部品の分解斜視図である。図１〜図３に示すように、操作レバー２２は、幅狭部１４ｂの上面に形成された孔部３０から上方に露出した操作部（操作板）２２ａと、操作部２２ａから後方に延びたシャフト部２２ｂと、シャフト部２２ｂの後端から上方に膨らんだ側面視半円状の押出部２２ｃとを有する。
【００２３】
図１及び図２に示すように、操作部２２ａは、幅狭部１４ｂの上方に露出した部分が平面視で丸みを帯びた略三角形状のプレートであり、術者等が幅広部１４ａに手の平を当てて、幅狭部１４ｂに人差し指等をかけた姿勢で、親指を安定して当てることができる位置・形状に設定されている。
【００２４】
図３に示すように、シャフト部２２ｂには、その幅方向（Ｘ１・Ｘ２方向に直交する短手方向）で両側に延びた一対のピン３２、３２が固定されている。ピン３２は、ハウジング１４の内側の両側面に設けられた一対のピン受部３４、３４にそれぞれ回転自在に軸支されている。つまり、操作レバー２２は、いわゆるシーソーのような構成であり、ピン３２を支点として操作部２２ａ及び押出部２２ｃが上下方向に交互に移動可能であり、例えば、操作部２２ａを押し下げると押出部２２ｃが上昇する。
【００２５】
吐出チューブ１８は、下流側（先端）が吐出口１２に連結され、上流側（後端）が針体２０の本体部２０ａの先端に連結されている。該本体部２０ａの内部には、吐出チューブ１８に連通する連通路が形成されており、該連通路は本体部２０ａの後端から後方に向けて突き出した針先２０ｂの先端で開口している。針体２０の本体部２０ａは、シャフト部２２ｂの上方位置でハウジング１４の内面に固定されている。
【００２６】
貯蔵容器１６には、くびれ部１６ａが形成され、くびれ部１６ａの後方に位置して押出部２２ｃが押圧可能な本体部１６ｂと、くびれ部１６ａの前方に位置して針体２０（針先２０ｂ）が刺通可能な被刺通部１６ｃとが設けられている。貯蔵容器１６は、少なくとも本体部１６ｂが弾力性を有する材質で形成されており、外部から押圧されて変形しても自己の弾性力で元の形状に復元可能である。
【００２７】
図２に示すように、ロック解除部材２６は、前後方向に延びた扁平板状の棒体であり、幅広部１４ａの内側の両側面に設けられたレール部材３６により、前後方向（Ｘ１・Ｘ２方向）にスライド可能な状態で支持されている。
【００２８】
図２及び図３に示すように、ロック解除部材２６の上面には、貯蔵容器１６が固定される。該固定は、例えばくびれ部１６ａに図示しない固定バンド等をかけて、又は接着や融着等により行うとよい。ロック解除部材２６の中央やや前方寄りには、当該ロック解除部材２６に固定される貯蔵容器１６の本体部１６ｂに対応して開口した前後方向に長い押出孔３８が形成されている。押出孔３８は、操作レバー２２の押出部２２ｃが上下方向に通過可能であり、該押出部２２ｃよりも前後方向に大きな形状である。ロック解除部材２６の先端側下面には、押出部２２ｃが係合可能な側面視略半円状のロック凹部４０が形成されている。
【００２９】
ロック解除部材２６は、図２に示すように、押出部２２ｃがロック凹部４０に係合（嵌合）し、針体２０が貯蔵容器１６に刺通されていない状態（未開封状態）で、ハウジング１４後端の孔部２４から外部後方へと突出している。一方、図４に示すように、押出部２２ｃがロック凹部４０から外れて押出孔３８に位置し、針体２０が貯蔵容器１６に刺通された状態（開封状態）で、ハウジング１４内に埋没する長さに設定されている。すなわち、貯蔵容器１６のロック解除部材２６への固定位置は、前記開封状態で針体２０（針先２０ｂ）が被刺通部１６ｃに刺通可能な位置に設定されている。
【００３０】
この場合、ロック解除部材２６は、前記未開封状態で、孔部２４から外部に突出している部位２６ａ（図１及び図２参照）の色彩がハウジング１４の外面の色彩と異なっていることが好ましく、例えばハウジング１４が白色で部位２６ａ（ロック解除部材２６）が緑色等に設定される。これにより、前記部位２６ａの色彩とハウジング１４の外面の色彩とを同色にした場合と比較して、塗布具１０が未開封状態であることを一層容易に判別することができる。
【００３１】
次に、以上のように構成される本実施形態に係る塗布具１０の作用について説明する。
【００３２】
図２に示すように、塗布具１０は、未開封状態（未使用状態）では、ロック解除部材２６の部位２６ａがハウジング１４の後方に突出しており、操作レバー２２の押出部２２ｃがロック凹部４０に係合している。
【００３３】
この状態では、押出部２２ｃとロック凹部４０との係合作用下に、ロック解除部材２６はある程度の強い力でハウジング１４内へと押し込まれない限り前方に移動不能であり、つまり、ロック解除部材２６が誤操作されても、針体２０が貯蔵容器１６に対して刺通されることがないロック状態にある。同時に、押出部２２ｃがロック凹部４０に係合していることから、操作部２２ａを押し下げることもできず、操作部２２ａの誤操作も防止されており、貯蔵容器１６内の接着剤が誤って吐出されることが確実に防止されている。
【００３４】
さらにこの状態では、図２に示すように、塗布具１０の側面視で、幅狭部１４ｂの下面から操作部２２ａの最上部までの距離Ｄ１が、ハウジング１４の上下方向の最大幅（最大径）Ｄ２よりも小さく設定されていることが望ましい。そうすると、ハウジング１４を術者等が把持した状態で、幅広部１４ａのＹ１方向位置よりも操作部２２ａのＹ１方向位置が低い姿勢に設定されるため、術者等が不用意に操作部２２ａを操作してしまうことが一層確実に防止されると共に、未開封状態で操作部２２ａが開封動作等の邪魔になることも有効に回避される。なお、前記最大幅Ｄ２とは、幅狭部１４ｂの下面から幅広部１４ａの上面までの上下方向での最大の距離である。つまり、後方からの塗布具１０の投影視において、操作部２２ａはハウジング１４の幅広部１４ａで隠れている。
【００３５】
このような未開封状態から、塗布具１０を使用可能な開封状態とするためには、図４に示すように、ロック解除部材２６を前方に押し込んで塗布具１０を開封状態（使用可能状態）にする。この開封動作は、例えば、術者等が塗布具１０を片手で縦向き（吐出口１２が上）に把持し、下方から突出するロック解除部材２６の後端を机上等に押し付けることにより、容易に実施可能である。
【００３６】
そうすると、ロック解除部材２６のレール部材３６に沿った前方への進動により、押出部２２ｃがロック凹部４０から外れて押出孔３８を通過可能な位置に配置されると共に、針体２０の針先２０ｂが貯蔵容器１６の被刺通部１６ｃを刺通し、貯蔵容器１６の内部が針体２０及び吐出チューブ１８を介して吐出口１２と連通される。すなわち、塗布具１０が接着剤（塗布材）を吐出可能な状態（開封状態）となる。
【００３７】
この際、操作レバー２２は、ロック凹部４０を押出部２２ｃが乗り越えた勢いで、該押出部２２ｃが押し下げられ、その反動で前方の操作部２２ａが上方（Ｙ１方向）に押し上げられる（ポップアップする）。例えば、図４に示すように、操作部２２ａのＹ１方向位置は、幅広部１４ａのＹ１方向での最高位置よりも上方に持ち上げられる。これにより、術者等が塗布具１０を把持した際、操作部２２ａは親指や人差し指で操作しやすい適度な高さに設定されると共に、開封状態の判別も一層容易にすることができる。
【００３８】
次に、塗布具１０により接着剤（塗布材）を塗布する際には、例えば片手でハウジング１４を把持した術者等が親指等により操作部２２ａを押し下げる。そうすると、図４中に破線で示すように、操作レバー２２が揺動し、後端の押出部２２ｃが上方に移動するため、貯蔵容器１６の本体部１６ｂの略中央部が押出部２２ｃによって押圧される。
【００３９】
押出部２２ｃによって押圧された本体部１６ｂは、内方に弾性的に変形する（凹む）ため、該変形した貯蔵容器１６の体積分（排除容積分）だけ、内部の接着剤が針体２０の連通路へと流出し、吐出チューブ１８から吐出口１２へと供給されて所望の被塗布対象（例えば、人工血管と生体血管との接合部）へと塗布されることになる。この際、吐出口１２から接着剤が吐出されると、吐出口１２から吐出チューブ１８及び連通路を伝って貯蔵容器１６内へと空気が入り込む。従って、貯蔵容器１６内では吐出による接着剤の減少分が空気に置き換わるので、連続的に且つ均一に塗布材を吐出することが可能となる。しかも、１回吐出した後は、術者等が操作部２２ａへの負荷（押し下げ動作）を解除すると、貯蔵容器１６が自己の弾性力によって元の状態に復元するため、押出部２２ｃが下がると同時に、操作部２２ａが持ち上がり、次の吐出を一層容易に且つ連続的に行うことができる。
【００４０】
以上のように、本実施形態に係る塗布具１０では、ハウジング１４の外部から操作されることにより、針体２０を貯蔵容器１６に刺通させ、同時に操作レバー２２の押出部２２ｃを貯蔵容器１６を押圧可能な位置（本体部１６ｂの略中央部）に設定するロック解除部材２６を備える。すなわち、ロック解除部材が操作されているか否かを外部から視認するだけで、未開封状態と開封状態とを容易に判別することができるため、誤操作等の偶発的な操作が防止されると共に、未使用品の保管・管理や使用済み品の廃棄等に要する手間を軽減することができる。
【００４１】
また、当該塗布具１０を開封するためのロック解除部材２６は、未開封状態では、押出部２２ｃとロック凹部４０との係合作用下に、ある程度の強い力で押し込まれない限りハウジング１４内へと進動不能であることから、誤った開封や偶発的な操作を防止することができる。しかも、押出部２２ｃがロック凹部４０に係合しているため、操作部２２ａの操作自体が不能であり、当該塗布具１０の誤操作が一層確実に防止されている。一方、開封状態では、ロック解除部材２６は、ハウジング１４内に完全に埋没するため、開封状態と未開封状態との判別が一層容易であり、しかも開封状態でロック解除部材２６が塗布作業の邪魔になることもない。
【００４２】
図４に示すように、１回の押出部２２ｃによる貯蔵容器１６の容積の変形分、つまり操作部２２ａの１プッシュ分での貯蔵容器１６からの塗布材の流出量をＶ１と称し、針体２０の連通路から吐出チューブ１８を経て吐出口１２の開口端までの経路の容積をＶと称した場合、Ｖ＞Ｖ１、と設定しておくことも有効である。このような容積関係Ｖ＞Ｖ１を規定しておくと、例えば、未開封状態の塗布具１０のロック解除部材２６を押し込んで塗布具１０を開封すると同時に、誤って操作部２２ａを押し下げてしまった場合にも、該操作部２２ａの押し下げによって貯蔵容器１６から流出する塗布材は、前記容積Ｖで規定された経路内に留まり、吐出口１２から偶発的に吐出されることが確実に防止される。
【００４３】
なお、本考案に係る塗布具は、上記の実施形態に限らず、本考案の要旨を逸脱することなく、種々の構成を採り得ることは勿論である。
【００４４】
例えば、貯蔵容器１６は、少なくとも針体２０が刺通可能な被刺通部１６ｃを有し、所定量の塗布材を貯蔵可能なものであればその形状や材質は特に限定されるものではなく、例えばくびれ部１６ａを省略した構成としてもよい。
【符号の説明】
【００４５】
１０…塗布具                        １２…吐出口
１４…ハウジング                    １６…貯蔵容器
１８…吐出チューブ                  ２０…針体
２０ｂ…針先                        ２２…操作レバー
２２ａ…操作部                      ２２ｂ…シャフト部
２２ｃ…押出部                      ２６…ロック解除部材
３８…押出孔                        ４０…ロック凹部
【図１】
0003156036.tif 000003
【図２】
0003156036.tif 000004
【図３】
0003156036.tif 000005
【図４】
0003156036.tif 000006